(57)【要約】【課題】陸からの大型魚釣りの、泳がせ釣りで、釣り場の占有場所を狭くして、多くの人が楽しめる釣法で、かつ、大型魚釣りの初心者でも、浮き釣りに勝る釣果を得られる、釣法を発明する事が課題である。【解決手段】道糸を巻き付けたリールＲを付けた仕掛けを投入する投げ竿Ｓと上記道糸Ｍの先端に錘１を固着した道糸に移動自在に係止された浮き２と該浮きの海中の浮き上がり端を移動自在に固定された浮き止め具３と、着脱自在具を任意の棚に調節可能に固定された棚取り枝ハリス止め体４と枝ハリス５ａを係合した枝ハリス着脱自在具５と該枝ハリスの先端に生餌Ｅを取り付ける係止具５ｃを有する事を特徴とする大型魚の釣り仕掛けと道糸連結具（枝ハリス着脱自在具）とその釣り方法として解決した。【選択図】図１
2018174886.tif 000002
【特許請求の範囲】
【請求項１】
道糸を巻き付けたリールを付け仕掛けを投入する投げ竿と上記道糸の先端に錘を固着した道糸に移動自在に係止された浮きと該浮きの海中の浮き上がり端を移動自在に固定された浮き止め具と、着脱自在具を任意の棚に調節可能に固定された棚取り枝ハリス止め体と枝ハリスを係合した着脱自在具と該枝ハリスの先端に生餌を取り付ける係止具を有する事を特徴とする大型魚の釣り仕掛けと道糸連結具。
【請求項２】
請求項１に記載の大型魚釣り具を用いた釣り方法であって、上記大型魚釣り具を取りつけて上記鉛を投入した後に上記道糸に上記枝ハリスを取り付けるとともに上記生餌取り付け係止具に生餌を取りつけて、生餌を投入し、魚信を待つことを特徴とする大型魚釣り方法。
【請求項３】
請求項１に記載の大型魚釣り具の着脱自在具又は請求項２に記載の大型魚釣り具を用いた釣り方法で用いられる上記大型魚釣り具の着脱自在具であって、
上記着脱自在具は、略球形の玉体と、上記玉体とは別体のスナップ部有する着脱自在具とから構成されており、
上記玉体は、略中心部貫通穴を有し略球形体側面より上記貫通穴に接続するスリットを有し、上記スリットは略Ｖ字形状の案内部を有し、案内部奥に道糸が貫通可能な間隙を形成した形状をしていることを特徴とする、着脱自在具。
【請求項４】
請求項１に記載の大型魚釣り具の着脱自在具又は請求項２に記載の大型魚釣り具を用いた釣り方法で用いられる上記大型魚釣り具の着脱自在具であって、
上記玉体の外周部であって、上記スナップ部を有する線材体を主材と部材との接点よりも上部に、道糸が入り得る凹部を設け、
上記スナップ部を開口して道糸を挿入する間隙を形成するとともに、上記スナッブを閉止して上記間隙を閉止して上記間隙を閉じて道糸の出し入れをロックするロック構造を設けたことを特徴とする着脱自在具。
【発明の詳細な説明】
【技術分野】
【０００１】
すずき（はね）ぶり（はまち、）さわら、かんぱち，ひらめ、しまあじ、等の沿岸回遊大型魚の、泳がせ釣法に、関する技術である。
【背景技術】
【０００２】
針に餌となる小魚（いわし・さば・あじ・このしろ等々）を鼻掛け・背掛けで付けて、２〜7ｍ上に浮きを付け海中に投入し、後は魚が勝手に動く、釣り人は他人の仕掛けともつれるのを監視すると言う釣り方が一般的なものである。
【０００３】
【特許文献１】特開２０００−１５７１２４
【特許文献２】実登３０９４５０１
【特許文献３】実開昭５７−１６７６７７
【特許文献４】実登３１３６０４５
【特許文献５】実開平３−２７９７２
【０００４】
すずき（はね）ぶり（はまち、）さわら、かんぱち，ひらめ、しまあじ、等の、沿岸回遊大型魚の、泳がせ釣法に、関する先行技術文献は見つける事は出来なかったが、道糸に、着脱自在に出来る糸用係着部の構造に関する技術（例えば特許文献１）がある。
スナップサルカンで現在では一般的に販売されている物でスナップ底部の略U字形の部分をチュウブで被った技術（例えば特許文献２）がある。
ラセン式簡易中通し浮きで、道糸の途中から着脱自在にした技術（例えば特許文献３）がある。
ルァー用フックのアイにスナップの開閉側と反対側のリングを通した技術（例えば特許文献４）がある
浮子本体に糸部の太さより大きい挿通穴を有する係止部を形成し、糸部への着脱を自在にした技術（例えば特許文献５）がある
【発明の概要】
【発明が解決しようとする課題】
【０００５】
鼻掛け・背掛けした餌を付けて、２〜７ｍ上に浮きを付け海中に投入し、後は魚が勝手に動くので、釣り人は他人の仕掛けと自分の１〜３本投入している、仕掛けどうしがもつれるのを監視すると言う釣り方が一般的なものであるが、海面には殆どの場合潮流・風等がありこれらを受けて餌の小魚は広範囲に動き回るので、釣り人一人が、１本の仕掛けを使用した場合、占有する釣り場所は、岸壁の長さで竿１本に付き少なくとも１０ｍは必要となる。
この泳がせ釣りで、例えば３００ｍある岸壁で、釣り人一人が、２本の竿を使用した場合、最大で１５人しか釣ることが出来ず、釣るためには場所の確保が一番で、場所取りのため、日の出より１〜２時間早く行かなければならない、これを釣り人一人が、１本の竿を使用した場合、占有する釣り場所は最少で１本に付き６ｍ程度にすることが出来るので、同じ場所で釣りを楽しめる人数は最大で２５人となる、この釣法を可能にする、仕掛け及び用具を構成する部品を提供する事が課題である。
もちろん浮き釣りと同等かそれ以上の釣果が得られる（１か月とかの平均値で）ことも必須課題である。
【課題を解決するための手段】
【０００６】
第一の発明は
道糸を巻き付けたリールＲを付けた仕掛けを投入する投げ竿Ｓと上記道糸Ｍの先端に錘１を固着した道糸に移動自在に係止された浮き２と該浮きの海中の浮き上がり端を移動自在に固定された浮き止め具３と、着脱自在具を任意の棚に調節可能に固定された棚取り枝ハリス止め体４と枝ハリス（Ａｓｓｙ）５ａを係合した枝ハリス着脱自在具５と該枝ハリスの先端に生餌Ｅを取り付ける係止具５ｃを有する事を特徴とする大型魚の釣り仕掛けと道糸連結具（枝ハリス着脱自在具５）を提供する。
＊上記大型魚の釣り仕掛けと道糸連結具の好ましい大きさ・形状等について概略説明をする。
１．道糸は特に限定はしないがＰＥ「ポリエチレン  ダイニーマ」１号で釣り上げた人もおるが該ＰＥは魚取り込み時に魚が岸手前７〜１０Ｍ位なると左右に暴れ他の人の仕掛けに絡み縺れる、縺れると解くのが大変（ほとんどの人は縺れ部を切って捨てているので推奨しにくい物、出願人の試釣ではフロロカーボンの１０号（オレンジ色）を使用していたがリールのドラッグを緩めない時、竿の穂先が２０Ｃｍ位折れた物を修正した物を使用した時、当たりと同時に切れた事も多々あった、フロロカーボンの１７号を使用して釣果に差なく釣り上げていた人もいたが多くの人はフロロカーボンの１０号を使用していた。
２．リールＲであるがスピニングリールでも太鼓型リールでも良いが遠投する人はスピニングリールで、太鼓型リールの使用は少し熟練が必要であるので初心者はスピニングリールの３０００番以上の強度のあるもので好ましくは５０００番位を使用をしたい。
３．竿はガイド付き３．５Ｍ以上の先調子の物｛更にはカーボンロッドで使用錘（試釣では５０号）に対応出来る竿で５Ｍ以上あると取り込み時のバラシが少ない｝を使用するのが好ましい。
４、錘は潮流や浮きの大きさや生き餌の種類によっても異なるが並んで釣っておる人と揃えるのが好ましいが一般的には５０号を使っていた。
５、浮きはラインを浮かし生餌が棚に居続け易くする為の物であるので１０〜１５号程度で良い。
６．浮き止め及び棚取り枝ハリス止め体は後述しておるが、ラインの途中でセットできる物で道糸の１．５〜３倍の大きさの物で枝ハリス着脱自在具の穴で止まる物。（図２参照）
７．枝ハリス着脱自在具は後述しておるが対象魚が１０ＫＧ程度の物もおるのでロック機能の付いた物を推奨する、（仕掛けに使用するスナップサルカンも同様にロック構造の付いたのが好ましいい）。
８．枝ハリス着脱自在具から先端の係止具までの仕掛けに付いては図３〜５に記載しておるが枝ハリス着脱自在具以降に記載のより戻しＹ、枝ハリスの錘Ｏ、絡み止めのパイプＰは付けなくても良いが、生き餌は海中で泳ぎ廻るので絡み止めと糸切れ対策であり、錘は所望の棚に生き餌を導入し易くする物で図示している形状で１〜４号（生き餌の引っ張り強さによって異なるが３号を使用していた）が好ましい。
【０００７】
第二の発明は
第一の発明に記載の大型魚釣り具を用いた釣り方法であって、上記大型魚釣り具を取りつけて上記鉛１を投入した後に上記道糸Ｍに上記枝ハリス５ａを取り付けるとともに上記生餌取り付け係止具５ｃに生餌Ｅを取りつけて、生餌を投入し、魚信を待つことを特徴とする特徴とする大型魚釣り方法を提供する。
＊枝ハリス５を取り付けないで、錘１を投入し｛図１（Ｂ）｝、次に竿を竿の道糸Ｍに手が届く位置に倒し竿の先端より前方の道糸を取り枝ハリス（Ａｓｓｙ）５ａの枝ハリス着脱具５を、前記道糸Ｍに取りつけ、枝ハリス先端部の針５ｃに泳がせ釣りの生き餌Ｅを掛け海中に降ろす準備が出来｛図１（Ｃ）｝、次に生き餌Ｅが付いた枝ハリス（Ａｓｓｙ）５ａを海中に降ろし、竿を立て道糸が張るまでリールを巻き、置き竿とし｛図１（Ａ）｝、魚が掛かった時、道糸及びハリスを切られない対策｛図１（Ａ）の１０・１１及びリールのドラッグを緩める｝をして、魚信を待つ釣法｛図１（Ａ）｝であるが、
この過程でノウハウ的なテクニック（特に８０ｃｍ〜１ｍオーバーの大型魚を陸部から釣る釣法）を、試釣出来たブリ・スズキ釣りを一例として引用する中で、数多くの釣り具と釣法を後述する。
【０００８】
第三の発明は
第一の発明に記載の大型魚釣り具の枝ハリス着脱自在具５又は第二の発明に記載の大型魚釣り具を用いた釣り方法で用いられる上記大型魚釣り具の枝ハリス着脱自在具５であって、
上記枝ハリス着脱自在具５は、略球形の玉体５１と、上記玉体５１とは別体のスナップ部５２ａ、５３ａを有する着脱自在具とから構成されており、
上記玉体は、略中心部貫通穴Ｈを有し略球形体側面より上記貫通穴に接続するスリットＷを有し、上記スリットは略Ｖ字形状の案内部を有し、案内部奥に道糸が貫通可能な間隙を形成した形状をしていることを特徴とする、枝ハリスの着脱自在具５を提供する。
＊図６（ａ，ｂ）参照
【０００９】
第四の発明は
第一の発明に記載の大型魚釣り具の枝ハリス着脱自在具５又は第二の発明に記載の大型魚釣り具を用いた釣り方法で用いられる上記大型魚釣り具の枝ハリス着脱自在具５であって、
上記玉体５１の外周部であって、上記スナップ部を有する線材体５２，５３の主材と部材との接点よりも上部に、道糸が入り得る凹部Ｋを設け、
上記スナップ部を開口して道糸を挿入する間隙Ｗａを形成するとともに、上記スナッブを閉止して上記間隙を閉止して上記間隙を閉じて道糸の出し入れをロックするロック構造を設けたことを特徴とする枝ハリス着脱自在具を提供する。
＊図６（ｃ）、（ｄ）、（ｅ）参照
【発明の効果】
【００１０】
発明が解決しようとする課題の、釣り人一人が１本の仕掛けを使用した場合、占有する釣り場所は少なくとも１本に付き６ｍ程度にすることが出来た。
【００１１】
釣り人が他人の仕掛けと自分の１〜２本投入している、仕掛けどうしがもつれるのを監視する回数（及び時間）が少なくて済むように成った。
【００１２】
試釣の結果では、浮き釣りと本願発明の釣法とでは、後者の方が優位であった。
【００１３】
餌の小魚の深さ及び前後方向の移動範囲が広く（浮き釣りに対して深さ方向の移動範囲が特に広く、設定次第では海底からの海面迄の深さ１５ｍ程度であれば、海底付近から水面近くまで生き餌が動き回ることが可能と）成った。
【発明を実施するための形態】
【００１４】
本願発明の釣法を可能にしたのは、枝ハリス着脱自在具５と着脱自在具から針に至る部分の発明を主とし、更に付帯発明を積み重ねたことで、海底の障害物（磯の海底の岩、岩に付着している貝類及び海藻、捨てられ海底に落ちている大型ごみ及び枝付流木が沈殿し海底に半分埋まった物等）に枝ハリス５ａ（Ａｓｓｙ）を絡まらなくした事、水深方向の生餌魚の移動可能範囲を広くし得た事（釣り人は一般的に棚を広げたと言う）、魚が掛かり取り込むまでには、数回〜弐十数回の魚の強烈な引き込みが有るが、その強烈な引き込みに耐えられる仕掛けにした事、初心者でも陸部から大型魚を釣る事が出来る泳がせ釣り仕掛け、及びその仕掛けを使った釣り方（泳がせ釣り方法）が発明出来、その実施形態としては、次段落で記述する方法がよい。
【００１５】
従って実施するための形態として、竿からリール・道糸・枝ハリス・浮き・錘・係止具の針に至るまでを対象魚類別（例えば河口付近でのスズキ・ブリ等、更に外洋に近い付近でのブリ・ヒラメ又は黒潮直接当たる付近での、ヒラマサ・ヒラメ・カンパチ・シマアジ等・親潮が直接当たる付近での鮭等々）のセットで販売するのが良い、各パーツを１パッケージとして、組み着けは購入者にＣＤ・ＤＶＤ・ＢＤ等で解説し、手順書として添付する方法もあるし、
基本部品（竿・道糸・リール）のみをセットとして、その他のパーツを数種類解説書付で、購入者にパッケージ単位で選ばせて、組み着けは購入者にＣＤ・ＤＶＤ・ＢＤ等で解説し、手順書として添付する方法もあるが、
少し経験のある人向きには、リール・道糸・枝ハリスのセットか又は枝ハリスのみか、枝ハリスの着脱自在具（５）のみを、部品として販売するのが好ましい方法である。
【００１６】
初心者向けには、竿からリール・道糸・枝ハリス・浮き・錘に至るまでをセットとして、浮き止め３と棚取り枝ハリス止め体４を装着すれば、釣りが出来るパッケージにして販売するのが好ましい形であり、
ａ．すべて組み付けしたセットにすれば、購入者は浮き止め３と棚取り枝ハリス止め体４を装着すれば釣りが出来るし、
ｂ．のフルセットでは、浮き止め３と棚取り枝ハリス止め体４を装着すれば釣りが出来るので、この方法が魚は掛かるが仕掛けを含む道具の選択違いで、魚を何度も逃がし、思考錯誤を繰り返すたびに無駄な投資をしなくてすむので、好ましい形である。
以上が、推奨する実施するための形態である。
【実施例】
【００１７】
図面に於けるそれぞれの寸法関係は、重要部分は拡大し、詳細が解り難いところは誇張している、また広範囲部分、又は本願発明で重要度の低い部分を、記載する時は縮小している、従って図面間及び図面内の寸法は比例していないし、実寸、縮尺寸法ではない。
又線間の間隔が狭い場合スキャンの段階で黒く太く１本の線に成り易いので、線間の間隔を広げたり、１本の線で書いていたりしている。
【００１８】
第二の発明の詳細説明
試釣出来た瀬戸内海の陸地からの、ブリ・スズキ釣りを初心者（小物の投げ釣り経験者とする）が初めての防波堤に釣行したとして、前段落に記載していない部分を主に、竿からリールに至る全てをフルセットで持参したと仮定して記述する。
ａ．釣りを開始するのに一番大切なことは、釣りをしようとする海の状態を調べることで、浮き止め３を錘から１０ｍ〜２０ｍ位にセットする（２０ｍの測り方は竿Ｓが５．４ｍなら約竿の長さ４本弱であるので、竿を一杯伸ばした状態で道糸Ｍの先端の錘が竿尻位に来たとき、リール直近の道糸に浮き止めを弱く仮セットし、リールから道糸が出る状態にして糸を引出し、前記浮き止め３が竿尻位に来るまで道糸をだして、弱く仮セットした浮き止めを外しリールの直近の道糸にセット｛すなわち道糸２往復弱した所に浮き止め３をセットしたことに成る｝する。
ｂ．投げる前に必ず竿Ｓを地面から２〜３ｍ揚げた位地から錘を地面に落としてリールを巻き、スムースに錘が地面に落ち、スムースにリールが巻け、リールＲ・ガイド・鈴などに巻き付いていない事を確認する。（この作業はめんどうでも必ず行う、５０号前後の錘を遠投するので、リールＲ・ガイド・鈴などに巻き付いていた場合道糸が切れ、浮きまでも飛んでいき無くし、最悪竿やガイドを傷つける。）
ｃ．八分の力で投げ、浮きが横に成って浮いていたらゆっくり手前に引き、浮きが立つ位置によって浮き止めを短くする幅の検討をつけ、浮きが沈んで見えなくなったら、見えなくなって道糸が弛むまでの時間（１秒か〜５秒か）で、浮き止めを長くする幅の検討をつけ、１か所沈んだ浮きがかすかに見えるか、浮きが横に成って浮いていてゆっくり手前に引くとすぐ浮きが立つか、に成れば１〜２ｍ程度浅いか深いかなので、そのポイントを基準に手前側・左右と４〜５か所投げ海底がどちらの方向から手前側・左右の方向に浅く（深く）成っているか、それとも平坦か頭の中に地図を作る
ｄ．良いポイントは駆け上がりになっている場所で、その場所の海面から１０〜１５ｍ位下になるように浮き止めをセットし、浮き止めセット位置から竿先方向４．５ｍの位置の道糸に棚取り枝ハリス止め体４をセットする。
ｅ．投げ竿で前記ポイントよりプラス１０ｍ〜２０ｍ位遠くへ投げる（海底が平坦な場合は潮通しの良さそうな所へとりあえず遠投する）
ｆ．次に竿を竿の先の道糸Ｍに手が届く位置に倒し竿の先より前方の道糸を取り枝ハリス（Ａｓｓｙ）５ａの枝ハリス着脱具５を前記道糸Ｍに取りつけ、生き餌Ｅを手早く付け優しく海中に入れる
ｇ. 数秒して生き餌Ｅが泳ぎだすのを確認して竿をまっすぐ上に立てて少しずつ道糸を張りの枝ハリス（Ａｓｓｙ）５ａが海面から見えなくなる迄おこない｛従って絡み止めＰは赤色とか白とか海面で目立つ色が良い｝置き竿とする。
ｈ．まず重しのバケツ１１と弾性体（５０ｃｍ程度伸び縮すればよく、自転車の荷物固定バンドでも良い）を置き竿の竿尻へ接続してからリールのドラッグを、リールのハンドルを廻しても、スプールが付いて回り、道糸が巻けない位に緩め、置き竿として当たりを待つ。
途中外道の魚（エソ・１ｋｇ以上有るふぐ・烏賊・蛸）や、鳥に食われたり、縺れていたりしていることが有るので、１~２時間に１回は仕掛けを引き上げ点検して再度投げなおす、
この時生き餌の予備が多く有る時は、Ｅを付け替え、予備が少ない時は
水汲みバケツに引き上げた餌Ｅを入れ生かしておき、投げなおす作業はスピーディに行う。
ｉ．当たりは多くて１日に５回程度。少ない時は数日ゼロ回でブリは数匹から数十匹の群れで来る事が多々あり、近くの人が魚を掛けて竿がひん曲がっていたら置き竿の近くで待ち、
潮の干満で見るとき、干潮から満ち潮に代わる時前後１時間と、満潮から引き潮に代わる時前後１時間が、釣れた魚の２／３、時間で見る時、１２時〜１５時３０分が釣れた魚の２／３なのでその時間は置き竿の近くにいる方が良い。
ｊ．当たりが有ると直ちに置き竿の所に行き竿を持ち上げる（防波堤のコンクリート部で道糸を切らない為及び竿の弾性が効く形にする為）これからのやり方次第で逃がすか，取り込めるかが決まる、試釣で取り込めたのは当たりの数の１／２弱、この数字は数々の発明を実施する前後を含む）リール部が防波堤等のコンクリートより上に来るように身体の体制を整え、竿は竿先が出来るだけ真上に向く様にし
ｋ．アシストしてくれる人に、生き餌容器１１から、もしくは竿尻のリングから、弾性体（１３）を外して貰って、ｈ．で緩めたリールのドラッグを少しずつ締め、魚の引きこみが弱い時はリールが巻ける様にする（掛った魚は殆ど最初に深い方向に逃げるので，前記方向に防波堤の角部及び障害物等が有る場合は、更にドラッグを少しずつ強めに締め、魚が強く引き込んだ時だけ、スプールの道糸が出る程度にする。
ｌ．海面から道糸が出ている点が岸から１０ｍ近辺に来たら竿を沖方向横にして、出来るだけ竿先が岸から遠くなる方向にし、魚が護岸部に付着している、かき、フジツボ、等にハリスをひっかけ切られない様にする。（但し、この辺で最後の力を振り絞った強烈な引き込みが有るのでそれに対応出来る様な体制を取りながら）
ｍ．この時から巻けるときは巻いて魚を浮かす・浮いて魚が空気を１〜２回吸う迄は気を緩めず焦らず、又玉網やギャフ（先端部に手鈎状の先端鋭利なフックか付いている大型魚を取り込む漁具）等，準備はするが海中には入れない。
ｎ．魚が空気を１〜２回吸うと急に弱り殆ど暴れなくなる、この段階で玉網にてすくう時は（この仕掛けでは、トリプルフック２個つかっているので、トリプルフックが玉網に掛る事が有るので、焦らず玉網を斜め下９０ｃｍ位の深さに持って行き尻尾のほうから掬い、魚が玉網にはいったのを見届けて水面近くまで引き上げる）玉網を斜め下９０ｃｍ位の深さに持って行き頭からすくい、魚が玉網にはいったのを見届けて水面近くまで引き上げる（約６０％は餌を丸のみしているので此処まで来たら、焦らず、慌てず、アシストしてくれる人と話し合いながら、絶対取り込む意気込みで、臨めば取り込める。）
ｏ．ギャフの時は更に弱るのを待ってアギ部近辺を引き上げ方向に引っかける
ｐ．ｎ．ｏの後は玉網・ギャフのシャフト部をまっすぐ上に上げ、役目を終えたシャフト部をたたみながら海に落ちない様にして、取り込む。（前記役目を終えたシャフト部をたたまないと、魚が入った玉網を掴む時伸びている玉網・ギャフのシャフト部の重さで、玉網・ギャフのシャフト部の接合部付近が折れる可能性が大となる）
ｑ．ブリはシュリンガー（釣った魚を海中で泳がして生かしておく漁具で、魚のあご下の柔らかい部分を突き刺し口から出しスナップ部を持つ線体をロープで繋ぐ物が主流）等で生かしておくことが出来ないので、下あごの口の中にアギと内蔵との連結部が有るので、そこを切って血抜きをしてシメる（この時血しぶきが、多いい時には３０ｃｍ〜６０ｃｍ位吹き上げるので、血しぶきがかからないような体制を取る。）。
ｒ．１本釣った枝ハリス（Ａｓｓｙ）５ａはハリス部分は切って捨て、針５ｃは確認し、枝ハリス錘Ｏ枝ハリス着脱自在具５のみ再使用し、枝ハリス５ａを作り替え、道糸はリールをフリー状態にして道糸を引っ張り出し、撚れが掛かり、パーマ状態になっている部分は切って捨て残った道糸が１００ｍ検討以上ある場合はその道糸を使って仕掛けを作り変える。
ｓ．ｒ．での仕掛けを作り変えられないときは、道糸を巻いた予備のスプールもしくはリールを使い、枝ハリス（Ａｓｓｙ）５ａの予備を使うか、フルセットの竿の予備を使えば簡単に釣りが再開できる。
【００１９】
試釣出来た瀬戸内海の陸地からの、ブリ・スズキ釣りの仕掛けを一例として記述するが、干満の差が大潮の時で３．５ｍ前後有るので潮流が速いのと、餌となる小魚はこのしろ（にぎり寿司ではこはだと言う）が入手し易いので大半の人がこのしろ（こはだ）を使っているが、この魚は餌としては引き込む力が強いので、１の錘は２０号から投げ竿で投げる範囲の｛図１（Ａ）｝錘（４０〜６０号が望ましい）を付け、（根掛かりの多いい所では２０〜４０号の捨て錘とした方がよい）。
【００２０】
４の棚取り枝ス止め体の中の１例であるが｛図２（ａ）〜（ｅ）｝は浮き止め３と同様に、道糸の途中で取りつけられ、かつ、ブリ（長寸で８０ｃｍ〜１ｍオーバーで、重さで８〜１２ｋｇ程度のもの）が引きこむ力で簡単に１の方向にずれない物｛取り込むとき迄にストッパーＩａまでずれても良い｝で有れば限定はしないが、道糸の直径の２〜５倍に直径を自在に出来る物で、弾性性状のある物（図２（ａ）〜（ｅ））が好ましい、この仕掛けでは輪ゴムの様なリング状の物で、何回でも道糸に潜らせることで、道糸の直径の２〜５倍に枝ス止めの直径を自在に設定出来る物を使用している
図４の（ｆ）〜（ｈ）は浮き止め３、として市販されている物で輪を持つ線体
４ｂにフットボール状の弾性体４ｂ−２がセットしてある物で、図２の（ｆ）は道糸の端部を前記線体の輪４ｂ−１に通し、線体を引き、前記弾性体を道糸に移し替え（ｇ）、セットしたい位置に移動させ（ｈ）の状態にする浮き止めであるが、道糸の端部からセットする事がこの仕掛けに使用するのには問題である。
図２の（ｉ）〜（Ｊ）は撚り糸体を（ｉ）の様に結べば（ｊ）の様に成り、このタイプの物は糸体の太さを変えるか（ｊ）の状態の上に、更に（ｉ）の様に結び重ねれば道糸の直径の２〜５倍に直径を自在に出来、道糸の途中で取りつけられ、かつ、ブリ（長寸で８０ｃｍ〜１ｍオーバーで、重さで８〜１２ｋｇ程度のもの）が引きこむ力で簡単に１の方向にずれない物にする事が出来るのでこのタイプの物でも問題ないが、この仕掛けでは操作性の問題で使用していない。
【００２１】
第三の発明は枝ハリスの着脱自在具部５の略球形体の玉体５１ａとスナップ部５２ａ，５３ａを有する線材体を主材とする部材とを、一体にして設けたことを特徴とする枝ハリス着脱自在具５で｛図６・（ａ）．（ｂ）｝前記略球形体部とスナップ部５２，５３を有する線材体を主材とする部材のスナップ部の線材との、前記線材体を主材とする部材のスナップ部５３ａを内側方向に押して５２ａから５３ａを外してスナップ部を開口し、道糸を挿入しうる間隙Ｗを形成し、スナップ部５２ａ，５３ａの閉止により、前記道糸を挿入しうる間隙Ｗが閉じ、道糸Ｍが通る軸線方向の穴Ｈからの道糸Ｍを出し入れする構造を設けた事を特徴とする着脱自在具。
この段落の記載は略球形体としているが、棚取りエダス止め体４で、枝ハリス着脱自在部５を有する枝ハリス（Ａｓｓｙ）５ａが、止まる機能を有する物なら、略球形体に拘らず、例えば板体・円板体・円盤体・４角、６角等多角形の立方体や、略楕円形を含む形状で有れば限定はしない。
【００２２】
第四の発明は枝ハリスの着脱自在具部５の略球形体の玉体５１とスナップ部５２，５３を有する線材体を主材とする部材とを、一体にして設けたことを特徴とする枝ハリス着脱自在具５で｛図６・（ｃ）．（ｄ）（ｅ）｝前記略球形体部とスナップ部５２，５３を有する線材体を主材とする部材のスナップ部の線材との、接点上部の略球形体外周部に道糸が入り得る凹部を道糸の軸線方向に設け、前記線材体を主材とする部材のスナップ部５３を内側方向に押して５２から５３を外してスナップ部を開口し、道糸を挿入しうる間隙Ｗａを形成し、スナップ部５２，５３の閉止により、前記道糸を挿入しうる間隙Ｗａが閉じ、道糸Ｍが通る軸線方向の穴Ｈからの道糸Ｍの出し入れを、ロックする構造を設けた事を特徴とする着脱自在具。
この段落の記載は略球形体としているが、棚取りエダス止め体４で、枝ハリス着脱自在部５を有する枝ハリス（Ａｓｓｙ）５ａが、止まる機能を有する物なら、略球形体に拘らず、例えば板体・円板体・円盤体・４角、６角等多角形の立方体や、略楕円形を含む形状で有れば限定はしない。
【００２３】
枝ハリス（Ａｓｓｙ）５ａの着脱自在具部５と、枝ハリスの先端部の係止具５ｃ間を連結するハリスであつて、ハリスとして使用されている物には、
１．      ナイロン・特性として伸び率２０％〜４５％あり、フック（釣り針）やサルカンとの結束部の結束方法によっては大型魚が掛かり引き込む力で伸びて結束部が抜けるので使い慣れない人には推奨出来ない物。
２．      フロロカーボン・最近の釣りでのハリスとしては一番普及しているもので、結束部強度ではＰＥ（ポリエチレン  ダイニーマ）に次ぐ強度を持ち更に水中での屈折率１．４２と、水の屈折率１．３３と近く水中では見えにくい素材である。
（この仕掛けではフロロカーボンの１２号を使用している。）
３．      ＰＥ（ポリエチレン  ダイニーマ）・現在市販されているラインとしては最強度の物であり、伸び率１．０４で、釣りに於けるメリットは、感度（当たり等微妙な変化を伝え易い特性を持っている）の良さである、反面弱点としては、耐熱性で、耐熱温度が１４５℃と低く、低い摩擦熱で切れてしまうこと及びラインがしなやかで、絡みやすく、又一度絡むと解き難い事である、この釣法及び仕掛けでは、泳がせている餌の魚の勝手な動きて、浮き釣りでも、この釣法（以後ブッ込み釣りと記する）でも、絡みやすく、特にブッ込み釣りでは、道糸や浮き等に絡み枝ハリス長さが短くなると餌の魚が弱り死ぬとか烏賊等に食われ易くなり、生餌として役に立たなくなるので、上記枝ハリスのハリス全部をＰＥとするのは推奨し難い。
４．      以上１〜３を組み合わせたハリスも市販されているが、試釣するに至っていないので  、ブッ込み釣りへの使用は本願発明ではコメントできない。
【００２４】
枝ハリス（Ａｓｓｙ）５であるが図３では略球形体の玉体５１とスナップ部５２，５３を有する線材体を主材とする部材とを、一体にして設けたことを特徴とする枝ハリス着脱自在具５から先端に向かってより戻しＹと枝ハリスの錘Ｏと絡み止めパイプＰと先端の係止具（Ｗフック１個使用した物）とをハリス（ブリの試釣りではフロロカーボン１２号）連結した仕掛け。
【００２５】
枝ハリス（Ａｓｓｙ）５であるが図４では略球形体の玉体５１とスナップ部５２，５３を有する線材体を主材とする部材とを、一体にして設けたことを特徴とする枝ハリス着脱自在具５から先端に向かってより戻しＹと枝ハリスの錘Ｏと絡み止めパイプＰと先端の係止具（トリプルフック２個使用した物）とをハリス（ブリの試釣りではフロロカーボン１２号）とトリプルフック（試釣りでは３号）２個針先を向い合わせにした仕掛けに餌の生き餌Ｅを取り付けた枝ハリス（Ａｓｓｙ）５。
【００２６】
枝ハリス（Ａｓｓｙ）５の先端の餌係止具トリプルフック５ｃ（釣る魚Ｆ掛け目的）と着脱自在具方向上に一本針の生き餌係止具（餌掛け目的）５ｆと上下針との間隔保持用のストッパー５ｇと上下針との間隔保持用のストッパー上５ｅ（餌のさかなを付ける時５ｆがフリーになり掛け難いのを防止する目的）を取り付けた先端の係止具。
【図面の簡単な説明】
【００２７】
【図１】（Ａ）第一の発明の漁具を投げ竿で投入して第二の発明の魚信を待っておる方法の概略図。        （Ｂ）第一の発明の漁具を投げ竿で投入した概略状態図で枝ハリス先端の係止具及び着脱自在具を含む枝ハリス未装着の概略図で、３ａの浮き異動下端のストゥパーと１ａの魚が釣れた時枝ハリスが抜け落ちない為のストッパーで両方とも付けたほうが良い程度の物。        （Ｃ）Ｂの状態から陸上で枝ハリスを装着した概略図。
【図２】浮きの海中の浮き上がり端を移動自在に固定された浮き止め具３と、着脱自在具を任意の棚に調節可能に固定された棚取り枝ハリス止め体４の市販（浮き止め）されておる物で（ａ〜e）は輪ゴムタイプの物の（ｆ〜ｈ）は道糸の端部から取り付ける物４ｂ（Ｉ），（ｇ）は撚ってある糸で結束するタイプ４ｃの取りつけ要領図
【図３】エダスの概略説明一例図先端の係止具がＷフックの物の図。
【図４】エダスの概略説明一例図先端の係止具がトリプルフック２個使用の物（先端部仕掛けを含む）図
【図５】エダスの概略説明一例図先端の係止具がトリプルフックとシングルフックを使用したもの物。
【図６】（ａ）は第三の発明に記載の枝ハリス着脱自在具道糸にセットした状態の一例図。（ｂ）スナップを開口して道糸にセットした状態図。（ｃ）は第四の発明に記載の枝ハリス着脱自在具のスナップを閉止状態図。（ｄ）は（ｃ）の枝ハリス着脱自在具のスナップを開口状態図（ｅ）は（ｄ）のＦ−Ｆ断面図
【図１】
2018174886.tif 000003
【図２】
2018174886.tif 000004
【図３】
2018174886.tif 000005
【図４】
2018174886.tif 000006
【図５】
2018174886.tif 000007
【図６】
2018174886.tif 000008